(57)【要約】【課題】シール性の低下を防ぐことが可能なゴム栓を提供する。【解決手段】電線Ｗの外周に装着され、コネクタハウジング２０のキャビティ２１に挿入されると、前記キャビティ２１と前記電線Ｗとの間をシールするゴム栓１０であって、前記ゴム栓１０の外周には、前記キャビティ２１に弾性的に密着するキャビティ用リップ１３を突設し、前記ゴム栓１０の外周のうち前記キャビティ用リップ１３よりも前記キャビティ２１への挿入方向の後側には、前記キャビティ２１に接触するキャビティ用リブ１５を突設し、前記キャビティ用リブ１５の突出寸法を、その突出端が前記キャビティ用リップ１３の突出端よりも内側に位置する寸法とした。【選択図】図４
2010055933.tif 000002
【特許請求の範囲】
【請求項１】
電線の外周に装着され、コネクタハウジングのキャビティに挿入されると、前記キャビティと前記電線との間をシールするゴム栓であって、
前記ゴム栓の外周には、前記キャビティに弾性的に密着するキャビティ用リップを突設し、
前記ゴム栓の外周のうち前記キャビティ用リップよりも前記キャビティへの挿入方向の後側には、前記キャビティに接触するキャビティ用リブを突設し、
前記キャビティ用リブの突出寸法を、その突出端が前記キャビティ用リップの突出端よりも内側に位置する寸法としたことを特徴とするゴム栓。
【請求項２】
前記ゴム栓の内周には、前記電線の外周に弾性的に密着する電線用リップを突設し、
前記ゴム栓の内周のうち前記電線用リップよりも前記キャビティへの挿入方向の後側には、前記電線に接触する電線用リブを突設し、
前記電線用リブの突出寸法を、その突出端が前記電線用リップの突出端よりも外側に位置する寸法としたことを特徴とする請求項１に記載のゴム栓。
【発明の詳細な説明】
【技術分野】
【０００１】
本発明は、コネクタハウジングのキャビティと電線との間をシールするゴム栓に関する。
【背景技術】
【０００２】
従来より、電線の外周に装着され、コネクタハウジングのキャビティに挿入されてキャビティと電線との間をシールするゴム栓が知られている（例えば特許文献１）。
このゴム栓は、前端部（挿入方向前側の端部）が端子のインシュレーションバレルにかしめ付けられることで、電線に圧着される。ゴム栓の前後方向の略中央部には、キャビティに弾性的に密着するリップが設けられ、ゴム栓のうちリップよりも前側および後側の部分の外形寸法は、リップの外径寸法よりも小さくされている。このため、ゴム栓をキャビティに挿入した状態では、ゴム栓の後端部（リップよりも後側の部分）とキャビティとの間に、わずかな隙間が空いた状態になる。
【０００３】
ゴム栓の後端部とキャビティとの間に隙間を設けることには、以下のような理由がある。ゴム栓の後端部がキャビティに対して弾性的に密着する構成にすると、ゴム栓をキャビティに挿入する際、ゴム栓の前端部が前方へ移動しようとするのに対して、後端部がそれに抵抗し、ゴム栓は前後方向に引っ張られた状態になる。すると、ゴム栓に作用する引張力でゴム栓が伸び、シール性の低下を招くおそれがあるからである。
【特許文献１】特開２００６−１４７４２１公報
【発明の開示】
【発明が解決しようとする課題】
【０００４】
しかしながら、上記のように、ゴム栓の後端部とキャビティとの間に隙間を空けた場合には、この隙間に塩水が入り込む可能性がある。すると、塩水がリップに到達し、リップとキャビティとの間に浸入するおそれがある。リップとキャビティとの間に浸入した塩水が結晶化すると、この間に塩の結晶が介在した状態になってシール性の低下を招くことになるため、対策が望まれていた。
【０００５】
本発明は上記のような事情に基づいて完成されたものであって、シール性の低下を防ぐことが可能なゴム栓を提供することを目的とする。
【課題を解決するための手段】
【０００６】
本発明は、電線の外周に装着され、コネクタハウジングのキャビティに挿入されると、前記キャビティと前記電線との間をシールするゴム栓であって、前記ゴム栓の外周には、前記キャビティに弾性的に密着するキャビティ用リップを突設し、前記ゴム栓の外周のうち前記キャビティ用リップよりも前記キャビティへの挿入方向の後側には、前記キャビティに接触するキャビティ用リブを突設し、前記キャビティ用リブの突出寸法を、その突出端が前記キャビティ用リップの突出端よりも内側に位置する寸法としたことに特徴を有する。
【０００７】
このような構成によれば、ゴム栓がキャビティに挿入された状態では、キャビティ用リップの後側においてキャビティ用リブがキャビティに接触した状態になるから、塩水がキャビティ用リップまで浸入することを防ぐことができる。また、キャビティ用リブの突出端はキャビティ用リップの突出端よりも内側に位置しているから、キャビティ用リブは、ゴム栓をキャビティに挿入する際、キャビティ用リップほど強くキャビティに押し付けられることはない。したがって、ゴム栓を挿入する際の抵抗力が増大することはないから、ゴム栓が伸びることを防ぐことができる。
すなわち、本発明の構成によれば、キャビティへの挿入に伴うゴム栓の伸び、およびキャビティとゴム栓との間への塩水の浸入に起因するシール性の低下を防ぐことができる。
【０００８】
また、前記ゴム栓の内周には、前記電線の外周に弾性的に密着する電線用リップを突設し、前記ゴム栓の内周のうち前記電線用リップよりも前記キャビティへの挿入方向の後側には、前記電線に接触する電線用リブを突設し、前記電線用リブの突出寸法を、その突出端が前記電線用リップの突出端よりも外側に位置する寸法としたものとしてもよい。
【０００９】
このような構成によれば、電線用リップが電線に弾性的に密着し、また電線用リップの後側において電線用リブが電線に接触した状態になるから、塩水が電線用リップまで浸入することを防ぐことができる。また、電線用リブの突出端は、電線用リップの突出端よりも外側に位置しているから、電線用リブは電線用リップほど強く電線に押し付けられることはない。したがって、電線の熱膨張に伴うゴム栓の伸びに起因するシール性の低下と、電線とゴム栓との間への塩水の浸入による塩害とを防ぐことができる。
【発明の効果】
【００１０】
本発明によれば、シール性の低下を防ぐことが可能なゴム栓を提供することができる。
【発明を実施するための最良の形態】
【００１１】
以下、本発明の実施形態を図１〜図５によって説明する。
本実施形態におけるゴム栓１０は、電線Ｗの外周に装着され、コネクタハウジング２０のキャビティ２１に挿入されて、キャビティ２１と電線Ｗとの間をシールするものである。以下、各構成部材において、キャビティ２１に対するゴム栓１０の挿入方向（図１では左方向）を前方として説明する。
【００１２】
ゴム栓１０は、全体として前後方向に長い円筒状をなしている。ゴム栓１０の前端部には、図示しない端子のインシュレーションバレルがかしめ付けられるようになっている。以後、ゴム栓１０の前端部を圧着部１１と称し、圧着部１１よりも後側の部分を胴部１２と称する。
【００１３】
圧着部１１は、インシュレーションバレルにかしめ付けられることで、電線Ｗの外周に圧着固定される。圧着部１１は、前端に向かって少しずつ縮径するテーパ形状をなし、圧着部１１の外径および内径は、いずれも前端に向かって少しずつ径寸法が小さくされている（図４参照）。圧着部１１は、前後にわたり略一定の厚さ寸法を有している。圧着部１１の内径は、胴部１２の内径よりも小径とされ、圧着部１１が電線Ｗに対して胴部１２よりも強固に密着する設定としている。なお、圧着部１１の外径は、胴部１２の外径よりも小さくされている。
【００１４】
胴部１２の外周、詳しくは胴部１２のうち略前半部分の外周には、キャビティ２１に弾性的に密着するキャビティ用リップ１３が突設されている。キャビティ用リップ１３は、全周にわたり連続して胴部１２の外周から外側に突出する環状をなしている。キャビティ用リップ１３は、前後に所定間隔を空けて２つ設けられている。キャビティ用リップ１３は、弾性変形していない自由状態においては、その外径寸法がゴム栓１０において最も大きい寸法とされている。
【００１５】
２つのキャビティ用リップ１３のうち前側に位置するキャビティ用リップ１３の周方向の断面は、その突出端が前後方向の略中央に配される半円形状をなしている。また、後側に位置するキャビティ用リップ１３の周方向の断面は、その突出端が前後方向の後側寄りの位置に配される山形状をなしている。
【００１６】
一方、胴部１２の内周、詳しくは胴部１２のうち略前半部分の内周には、電線Ｗの外周に弾性的に密着する電線用リップ１４が突設されている。電線用リップ１４は、全周にわたり連続して胴部１２の内周から内側に突出する環状をなしている。電線用リップ１４は、前後に所定間隔を空けて２つ設けられ、キャビティ用リップ１３とは軸線方向に互い違いになる位置に配されている。なお、電線用リップ１４は、キャビティ用リップ１３よりも後側にずれた位置に配されている。電線用リップ１４は、弾性変形していない自由状態においては、その内径寸法が、圧着部１１の内径寸法よりも若干大きい寸法とされ、言い換えると、電線用リップ１４の突出端は、圧着部１１の内周よりも若干外側に位置している。
【００１７】
そして、ゴム栓１０の外周のうちキャビティ用リップ１３よりも後側（キャビティ２１への挿入方向の後側）には、キャビティ２１に接触するキャビティ用リブ１５が径方向外方に突出して設けられている。キャビティ用リブ１５は、全周にわたって連続する環状をなし、略同形のものが軸線方向に複数条、略等間隔に形成されている。複数条のキャビティ用リブ１５は、胴部１２の略後半部分の全体（キャビティ用リップ１３の後側位置からゴム栓１０の後端にわたる範囲の全体）に設けられ、この部分の外面は、複数条のキャビティ用リブ１５により波形状をなしている。
【００１８】
キャビティ用リブ１５は、自然状態のキャビティ用リップ１３よりも低い、すなわち突出端が自然状態のキャビティ用リップ１３の突出端よりも内側に位置する突出寸法とされている。また、キャビティ用リブ１５は、その突出端が、自然状態においてキャビティ２１に全周にわたり接触する突出寸法とされている。
【００１９】
また、ゴム栓１０の内周のうち電線用リップ１４よりも後側には、電線Ｗに接触する電線用リブ１６が軸心方向へ向けて突設されている。電線用リブ１６は、全周にわたって連続する環状をなし、略同形のものが軸線方向に複数条、略等間隔に設けられている。複数条の電線用リブ１６は、胴部１２の略後半部分、すなわち電線用リップ１４の後側位置からゴム栓１０の後端にわたる範囲に設けられ、この部分の内面は、複数条の電線用リブ１６により波形状をなしている。電線用リブ１６は、断面形状がキャビティ用リブ１５と略同一・同大をなし、キャビティ用リブ１５と略同ピッチに形成されている。電線用リブ１６は、キャビティ用リブ１５よりも数が少なく、胴部１２の略後半部分のキャビティ用リブ１５が形成された範囲のうち前端部を除いた後側の範囲に形成されている。電線用リブ１６は、キャビティ用リブ１５と前後方向における略同一の位置に設けられている。
【００２０】
電線用リブ１６は、自然状態の電線用リップ１４よりも低い、すなわち突出端が自然状態の電線用リップ１４の突出端よりも外側に位置する突出寸法とされている。また、電線用リブ１６の突出寸法は、自然状態において電線Ｗに全周にわたり接触する寸法とされている。
【００２１】
電線Ｗの外周に装着されたゴム栓１０が、コネクタハウジング２０のキャビティ２１に挿入された状態では、キャビティ用リップ１３は径方向に潰れるように弾性変形し、キャビティ２１に対して液密状に密着する（図５参照）。これにより、キャビティ２１とゴム栓１０との間の隙間が防水され、液体の浸入が防止される。
また、電線用リップ１４は径方向に若干潰れるように弾性変形し、電線Ｗに液密状に密着する。これにより、ゴム栓１０は電線Ｗに対して良好に固定され、また電線Ｗとゴム栓１０との隙間が防水される。
【００２２】
そして、キャビティ用リブ１５は、全周にわたりキャビティ２１に接触した状態になり、電線用リブ１６は、全周にわたり電線Ｗに接触した状態になる。この状態においては、キャビティ用リブ１５および電線用リブ１６は殆ど弾性変形していない。
なお、ゴム栓１０がコネクタハウジング２０のキャビティ２１に挿入された状態では、ゴム栓１０の後端部は、キャビティ２１から若干後方へ突出した状態になっている。
【００２３】
次に、上記のように構成された本実施形態の作用および効果について説明する。
ゴム栓１０の外周のうちキャビティ用リップ１３よりも後側には、キャビティ２１に接触するキャビティ用リブ１５が突設されている。
これにより、ゴム栓１０がキャビティ２１に挿入された状態では、キャビティ用リップ１３の後側の隙間（キャビティ２１とゴム栓１０の後端部との間の隙間）は、キャビティ用リブ１５により、前後方向に幾重にも塞がれた状態になっている。このため、塩水等の液体は、キャビティ用リブ１５により、ゴム栓１０とキャビティ２１との間の隙間に入り込むことを阻まれ、また入り込んだとしてもキャビティ用リップ１３よりも手前（後方）の位置に留められる。したがって、塩水等の液体が、キャビティ用リップ１３に至るまで浸入することを防ぐことができる。
【００２４】
また、キャビティ用リブ１５の突出端は、キャビティ用リップ１３の突出端よりも内側に位置している。したがって、ゴム栓１０をキャビティ２１に挿入する際には、キャビティ用リブ１５は、キャビティ用リップ１３ほど強くキャビティ２１に押し付けられることはない。すなわち、ゴム栓１０をキャビティ２１に挿入するときの抵抗力は、例えば、ゴム栓の後端部にキャビティ用リップ１３と同様のリップを設ける場合に比べて、格段に小さいものとすることができる。したがって、ゴム栓１０をキャビティ２１に挿入する際、ゴム栓１０が伸びることを防ぐことができる。
すなわち、本実施形態の構成によれば、キャビティ２１への挿入に伴うゴム栓１０の伸びを防ぎ、かつ、キャビティ用リップ１３とキャビティ２１との間への塩水の浸入に伴う塩害を防ぐことができ、もってシール性の低下を防ぐことができる。
【００２５】
また、ゴム栓１０の内周には、電線Ｗの外周に弾性的に密着する電線用リップ１４が突設され、ゴム栓１０の内周のうち電線用リップ１４よりも後側には、電線Ｗに接触する電線用リブ１６が突設されている。
これにより、ゴム栓１０のうち電線用リップ１４の後側の隙間（電線Ｗとゴム栓１０の後端部との間の隙間）は、電線用リブ１６により前後方向に幾重にも塞がれた状態になる。このため、塩水等の液体は、電線用リブ１６により、ゴム栓１０と電線Ｗとの間に入り込むことを阻まれ、また入り込んだとしても電線用リップ１４よりも手前（後方）の位置に留められる。したがって、塩水等の液体が、電線用リップ１４に至るまで浸入することを防ぐことができる。
【００２６】
また、電線用リブ１６の突出端は、電線用リップ１４の突出端よりも外側に位置している。したがって、電線用リブ１６は、電線用リップ１４ほど電線Ｗに強く押し付けられることはない。ここで、電線Ｗは、電流が流れることで熱膨張するため、例えばゴム栓の後端部に電線用リップ１４と同様のリップを設けた場合には、電線Ｗに弾性的に密着したゴム栓１０の後端部が、電線Ｗの熱膨張に伴って後方へ引っ張られ、ゴム栓１０が伸びてしまうおそれがある。しかしながら、本実施形態の構成によれば、電線用リブ１６は、電線用リップ１４のように電線Ｗに強く押し付けられることはないから、電線Ｗの熱膨張に伴ってゴム栓１０が伸びることを防ぐことができる。
すなわち、本実施形態の構成によれば、電線Ｗの熱膨張に伴うゴム栓１０の伸びに起因するシール性の低下を防ぐことができ、かつ、電線Ｗとゴム栓１０との間に塩水が入り込むことによる塩害を防ぐことができる。
【００２７】
＜他の実施形態＞
本発明は上記記述及び図面によって説明した実施形態に限定されるものではなく、例えば次のような実施形態も本発明の技術的範囲に含まれる。
【００２８】
（１）上記実施形態では、ゴム栓１０の内周には、電線用リップ１４および電線用リブ１６が設けられているが、これらは設けなくてもよく、例えばゴム栓の内周の全面を電線に密着させる構成としてもよい。
（２）上記実施形態では、キャビティ用リブ１５および電線用リブ１６は、複数条ずつ設けられているが、これに限らず、いずれも１条ずつ設けるようにしてもよい。
【図面の簡単な説明】
【００２９】
【図１】本実施形態にかかるゴム栓の側面図
【図２】同前面図
【図３】同後面図
【図４】同断面図
【図５】ゴム栓がコネクタハウジングに挿入された状態を表す概念図
【符号の説明】
【００３０】
Ｗ…電線
１０…ゴム栓
１３…キャビティ用リップ
１４…電線用リップ
１５…キャビティ用リブ
１６…電線用リブ
２０…コネクタハウジング
２１…キャビティ
【図１】
2010055933.tif 000003
【図２】
2010055933.tif 000004
【図３】
2010055933.tif 000005
【図４】
2010055933.tif 000006
【図５】
2010055933.tif 000007